(57)【特許請求の範囲】
【請求項１】
配信サーバと、該配信サーバから配信されるコンテンツを受信して再生するコンテンツ再生装置とを含むコンテンツ配信システムであって、
前記コンテンツ再生装置の付近に存在する複数の視聴者の識別情報を、各視聴者が所持した各携帯端末から取得する識別情報取得部と、
前記識別情報取得部により前記複数の視聴者の識別情報が取得されたときに、該複数の視聴者の識別情報に基づいて、該複数の視聴者のうちの一人をコンテンツの選択主体として決定する選択主体決定部と、
前記選択主体の識別情報と関連付けられた嗜好情報に基づいて、前記コンテンツ再生装置で再生するコンテンツを選択する再生コンテンツ選択部と
を備え、
前記コンテンツ再生装置は、前記複数の視聴者のうちの一人の視聴者が所持する第１携帯端末からの転送を介して前記配信サーバから配信された前記コンテンツを受信し、
前記配信サーバは、前記選択主体決定部が前記複数の視聴者のうちから決定した前記選択主体の変更に関係なく、前記コンテンツを前記第１携帯端末に送信することを特徴とするコンテンツ配信システム。
【請求項２】
請求項１に記載のコンテンツ配信システムにおいて、
前記識別情報取得部は、前記第１携帯端末から前記第１携帯端末の識別情報と位置情報とを受信すると共に、位置検出機能を有する第２携帯端末から該第２携帯端末の識別情報と位置情報とを受信して、前記第１携帯端末の付近に存在する前記第２携帯端末を検出し、前記第１携帯端末及び該検出した第２携帯端末の識別情報を、前記視聴者の識別情報として取得することを特徴とするコンテンツ配信システム。
【請求項３】
請求項１又は請求項２に記載のコンテンツ配信システムにおいて、
前記選択主体決定部は、前記識別情報取得部により取得された視聴者の識別情報に基づいて設定された各視聴者の優先順位に従って前記選択主体を決定し、前記コンテンツ再生装置によりコンテンツが再生されているときに、前記選択主体として決定された視聴者以外の視聴者によって再生コンテンツを変更する操作がなされたときには、該変更する操作を行った視聴者の優先順位を上げることを特徴とするコンテンツ配信システム。
【請求項４】
コンテンツ再生装置に対して、コンテンツを配信する配信サーバであって、
前記コンテンツ再生装置の付近に存在する複数の視聴者が所持した各携帯端末から送信される視聴者の識別情報を受信する識別情報受信部と、
前記識別情報受信部から前記複数の視聴者の識別情報を受信したときに、該複数の視聴者の識別情報に基づいて、該複数の視聴者のうちの一人をコンテンツの選択主体として決定する選択主体決定部と、
前記選択主体の識別情報と関連付けられた嗜好情報に基づいて、前記コンテンツ再生装置で再生するコンテンツを選択する再生コンテンツ選択部と、
前記再生コンテンツ選択部により選択されたコンテンツを、前記複数の携帯端末のうち前記コンテンツ再生装置にコンテンツを転送可能になっている第１携帯端末に、前記選択主体決定部が前記複数の視聴者のうちから決定した前記選択主体の変更に関係なく、送信するコンテンツ送信部と
を備えたことを特徴とする配信サーバ。
【請求項５】
配信サーバからコンテンツ再生装置に対してコンテンツを配信する方法であって、
前記配信サーバが、前記コンテンツ再生装置の付近に存在する複数の視聴者の識別情報を、各視聴者が所持した携帯端末から取得する識別情報取得ステップと、
前記配信サーバが、前記識別情報取得ステップにより前記複数の視聴者の識別情報が取得されたときに、該複数の視聴者の識別情報に基づいて、該複数の視聴者のうちの一人をコンテンツの選択主体として決定する選択主体決定ステップと、
前記配信サーバが、前記選択主体の識別情報と関連付けられた嗜好情報に基づいて、前記コンテンツ再生装置で再生するコンテンツを選択する再生コンテンツ選択ステップと、
前記再生コンテンツ選択ステップにより選択されたコンテンツを、前記複数の携帯端末のうち前記コンテンツ再生装置にコンテンツを転送可能になっている第１携帯端末に、前記選択主体決定ステップにより前記複数の視聴者のうちから決定した前記選択主体の変更に関係なく、送信するコンテンツ送信ステップと
を含むことを特徴とするコンテンツ配信方法。
【発明の詳細な説明】
【技術分野】
【０００１】
本発明は、コンテンツ再生装置に対して配信サーバからコンテンツを配信するコンテンツ配信システムに関する。
【背景技術】
【０００２】
従来、乗用車には、ラジオ放送を受信して音楽番組等を再生する放送受信装置が一般的に装備されており、乗用車の乗員は、好みのラジオ局を選択してラジオ放送を視聴することができる。しかしながら、多数のラジオ局から提供されている多様な番組の中から、乗員の好みにあった番組を選択することは、必ずしも容易ではない。
【０００３】
そこで、乗用車に備えられたナビゲーション装置と放送受信装置とを組み合わせて、ナビゲーション装置とサーバ装置との間の通信を可能とし、サーバ装置により、予め入力された乗員の嗜好情報と放送中の番組情報とを参照して乗員の嗜好に合った番組を検索して、検索した番組の情報をナビゲーション装置に送信するようにした放送受信システムが提案されている（例えば、特許文献１参照）。
【０００４】
特許文献１に記載された放送受信システムでは、検索された番組の情報がナビゲーション装置のディスプレイに表示され、乗員の指示操作に応じて、放送受信装置が番組を再生する。
【先行技術文献】
【特許文献】
【０００５】
【特許文献１】特開２００２−２６８３８号公報
【発明の概要】
【発明が解決しようとする課題】
【０００６】
上述した特許文献１に記載された放送受信システムでは、予めサーバに登録された一人の利用者の嗜好に合わせた番組が選択される。そのため、乗用車に複数人が乗っている場合には、検索された番組が登録された利用者（運転者等）の嗜好には合致しているが、他の乗員の嗜好には合致しない状況になることがあり、この場合には、他の乗員の嗜好に合致した番組に変更する操作をしなければならないという煩わしさがある。
【０００７】
また、近年では、放送波によるラジオ放送のみならず、通信ネットワークを介して視聴者の好みに合わせた音楽等のコンテンツを配信するパーソナライズド・ラジオ等が普及している。そのため、複数の視聴者が共通のコンテンツを視聴する際に、多種多様なコンテンツの中からいずれか一人の嗜好に合致したコンテンツを選択する必要性が高まっている。
【０００８】
本発明はかかる背景に鑑みてなされたものであり、複数の視聴者が共通のコンテンツを視聴する場合に、視聴するコンテンツの選択を容易にすることができるコンテンツ配信システムを提供することを目的とする。
【課題を解決するための手段】
【０００９】
本発明のコンテンツ配信システムは、
配信サーバと、該配信サーバから配信されるコンテンツを受信して再生するコンテンツ再生装置とを含むコンテンツ配信システムであって、
前記コンテンツ再生装置の付近に存在する複数の視聴者の識別情報を、各視聴者が所持した各携帯端末から取得する識別情報取得部と、
前記識別情報取得部により前記複数の視聴者の識別情報が取得されたときに、該複数の視聴者の識別情報に基づいて、該複数の視聴者のうちの一人をコンテンツの選択主体として決定する選択主体決定部と、
前記選択主体の識別情報と関連付けられた嗜好情報に基づいて、前記コンテンツ再生装置で再生するコンテンツを選択する再生コンテンツ選択部と
を備え、
前記コンテンツ再生装置は、前記複数の視聴者のうちの一人の視聴者が所持する第１携帯端末からの転送を介して前記配信サーバから配信された前記コンテンツを受信し、
前記配信サーバは、前記選択主体決定部が前記複数の視聴者のうちから決定した前記選択主体の変更に関係なく、前記コンテンツを前記第１携帯端末に送信することを特徴とする。
【００１０】
本発明のコンテンツ配信システムによれば、例えば、車室内で複数の視聴者（乗員）が１台のコンテンツ再生装置で再生されるコンテンツ（音楽、映像等）を視聴する場合のように、複数の視聴者が共通のコンテンツを視聴する際に、識別情報取得部により複数の視聴者の識別情報が取得されて、選択主体決定部により一人の視聴者がコンテンツの選択主体として決定される。そのため、複数の視聴者によるコンテンツ選択の協議を不要として、コンテンツの選択を容易にすることができる。
【００１１】
なお、本発明において、視聴者とは音楽及び映像を視聴する者の他、音楽のみを聴取する者及び映像のみを視認する者も含む。
【００１２】
また、前記コンテンツ再生装置は、
前記識別情報取得部は、前記第１携帯端末から前記第１携帯端末の識別情報と位置情報とを受信すると共に、位置検出機能を有する第２携帯端末から該第２携帯端末の識別情報と位置情報とを受信して、前記第１携帯端末の付近に存在する前記第２携帯端末を検出し、前記第１携帯端末及び該検出した第２携帯端末の識別情報を、前記視聴者の識別情報として取得することを特徴とする。
【００１３】
この構成によれば、コンテンツ再生装置が携帯端末（第１携帯端末）であって、視聴者が携帯端末（第１携帯端末又は第２携帯端末）を所持している場合に、識別情報取得部は、各携帯端末の識別情報と位置情報から第１携帯端末の付近に存在する視聴者の識別情報を取得することができる。
【００１４】
また、前記選択主体決定部は、前記識別情報取得部により取得された視聴者の識別情報に基づいて設定された各視聴者の優先順位に従って前記選択主体を決定し、前記コンテンツ再生装置によりコンテンツが再生されているときに、前記選択主体として決定された視聴者以外の視聴者によって再生コンテンツを変更する操作がなされたときには、該変更する操作を行った視聴者の優先順位を上げることを特徴とする。
【００１５】
この構成によれば、選択主体として決定された視聴者以外の視聴者により、再生されているコンテンツを変更する操作がなされたときには、この変更操作を行った視聴者によるコンテンツの変更が、他の視聴者（選択主体として決定された視聴者を含む）により認められたと推定される。そのため、この場合には、コンテンツの変更操作を行った視聴者の優先順位を上げることによって、優先順位の設定をより適切なものとすることができる。
【００１８】
次に、本発明の配信サーバは、
コンテンツ再生装置に対して、コンテンツを配信する配信サーバであって、
前記コンテンツ再生装置の付近に存在する複数の視聴者が所持した各携帯端末から送信される視聴者の識別情報を受信する識別情報受信部と、
前記識別情報受信部から前記複数の視聴者の識別情報を受信したときに、該複数の視聴者の識別情報に基づいて、該複数の視聴者のうちの一人をコンテンツの選択主体として決定する選択主体決定部と、
前記選択主体の識別情報と関連付けられた嗜好情報に基づいて、前記コンテンツ再生装置で再生するコンテンツを選択する再生コンテンツ選択部と、
前記再生コンテンツ選択部により選択されたコンテンツを、前記複数の携帯端末のうち前記コンテンツ再生装置にコンテンツを転送可能になっている第１携帯端末に、前記選択主体決定部が前記複数の視聴者のうちから決定した前記選択主体の変更に関係なく、送信するコンテンツ送信部と
を備えたことを特徴とする。
【００１９】
本発明の配信サーバによれば、コンテンツ再生装置で再生されるコンテンツが複数の視聴者によって視聴される場合に、選択主体決定部により、識別情報受信部により受信された各視聴者の識別情報に基づいて、一人の視聴者がコンテンツの選択主体として決定される。そして、再生コンテンツ送信部により、選択主体として決定された視聴者の嗜好情報に基づいて選択されたコンテンツが、コンテンツ再生装置に送信される。そのため、複数の視聴者によるコンテンツ選択の協議を不要として、コンテンツの選択を容易にすることができる。
【００２０】
次に、本発明のコンテンツ配信方法は、
配信サーバからコンテンツ再生装置に対してコンテンツを配信する方法であって、
前記配信サーバが、前記コンテンツ再生装置の付近に存在する複数の視聴者の識別情報を、各視聴者が所持した携帯端末から取得する識別情報取得ステップと、
前記配信サーバが、前記識別情報取得ステップにより前記複数の視聴者の識別情報が取得されたときに、該複数の視聴者の識別情報に基づいて、該複数の視聴者のうちの一人をコンテンツの選択主体として決定する選択主体決定ステップと、
前記配信サーバが、前記選択主体の識別情報と関連付けられた嗜好情報に基づいて、前記コンテンツ再生装置で再生するコンテンツを選択する再生コンテンツ選択ステップと、
前記再生コンテンツ選択ステップにより選択されたコンテンツを、前記複数の携帯端末のうち前記コンテンツ再生装置にコンテンツを転送可能になっている第１携帯端末に、前記選択主体決定ステップにより前記複数の視聴者のうちから決定した前記選択主体の変更に関係なく、送信するコンテンツ送信ステップと
を含むことを特徴とする。
【００２１】
本発明のコンテンツ配信方法によれば、コンテンツ再生装置で再生されるコンテンツが複数の視聴者によって視聴される場合に、選択主体決定ステップにより、識別情報取得ステップにより取得された各視聴者の識別情報に基づいて、一人の視聴者がコンテンツの選択主体として決定される。そして、再生コンテンツ選択ステップにより、選択主体として決定された視聴者の嗜好情報に基づいて、コンテンツ再生装置により再生されるコンテンツが選択される。そのため、複数の視聴者によるコンテンツ選択の協議を不要として、コンテンツの選択を容易にすることができる。
【図面の簡単な説明】
【００２２】
【図１】第１実形態におけるコンテンツ配信システムの構成図。
【図２】図１に示した車載器の構成図。
【図３】図１に示した通信端末の構成図。
【図４】図１に示した配信サーバの構成図。
【図５】第１実施形態の車載器によるコンテンツ再生処理のフローチャート。
【図６】第１実施形態の配信サーバによるコンテンツ配信処理のフローチャート。
【図７】第２実施形態におけるコンテンツ配信システムの構成図。
【図８】第２実施形態の第１携帯端末によるコンテンツ再生処理のフローチャート。
【図９】第２実施形態の配信サーバによるコンテンツ配信処理のフローチャート。
【発明を実施するための形態】
【００２３】
本発明の実施の形態について、図１〜図９を参照して説明する。
【００２４】
［第１実施形態］
先ず、図１〜図６を参照して、本発明のコンテンツ配信システムの第１実施形態について説明する。
【００２５】
図１を参照して、第１実施形態のコンテンツ配信システムは、車両１（乗用車）に装着された車載器１０（本発明のコンテンツ再生装置に相当する）と、車両１の乗員（運転者及び同乗者、本発明の視聴者に相当する）Ｐａ〜Ｐｄが所持する携帯端末３０ａ〜３０ｄ（以下では、総称して携帯端末３０ともいう）と、配信サーバ５０とにより構成されている。
【００２６】
配信サーバ５０は、車載器１０に対して、予め登録されたユーザ（視聴者）の嗜好に合致したパーソナライズド・ラジオ番組を送信し、パーソナライズド・ラジオ番組のユーザである乗員Ｐａ〜Ｐｄ（以下では、ユーザＰａ〜Ｐｄともいう）は、パーソナライズド・ラジオ番組の配信サービスを利用するためのアプリケーション（以下、ラジオアプリという）を起動して、各ユーザＰａ〜Ｐｄの情報（ユーザＩＤ、ユーザプロファイル等）を配信サーバ５０に登録する。
【００２７】
車載器１０はナビゲーション機能とコンテンツ（音楽、映像等）再生機能と無線通信機能を有しており、配信サーバ５０と通信ネットワーク２を介して無線通信を行うと共に、携帯端末３０ａ〜３０ｄとの間で無線通信を行う。
【００２８】
なお、本発明のコンテンツ再生装置は、コンテンツ再生機能と通信機能を備えていればよく、ナビゲーション機能は必須ではない。また、本発明のコンテンツ再生装置は、ポータブルタイプのカーナビのように、車両１から容易に脱着して持ち歩きが可能な仕様であってもよい。また、本発明の携帯端末としては、スマートフォン、携帯電話、タブレット端末等の通信機能を有する種々の端末を用いることができる。
【００２９】
次に、図２を参照して、車載器１０は、ＧＰＳセンサ１１ａ、車速センサ１１ｂ、ジャイロセンサ１１ｃ等を含むセンサ部１１と、各種データを保持する記憶部１２と、近接無線通信部１３ａ及び携帯電話網無線通信部１３ｂを含む無線通信部１３と、車載器１０の全体的な作動を制御する車載器制御部２０と、表示部１５と、入力部１６と、音楽再生部１７と、ナビゲーション部１８とを備えている。
【００３０】
記憶部１２は半導体メモリ等により構成されており、ＯＳ（Operating System）や各種アプリ（アプリケーション）のプログラム、地図情報、センサ部１１による検出データ等の種々のデータが保持されている。本実施形態では、配信サーバ５０から送信されるパーソナライズド・ラジオ番組を受信して音楽再生部１７により再生させるラジオアプリのプログラムが記憶部１２に保持されている。
【００３１】
無線通信部１３の近接無線通信部１３ａは、Wi-Fi（Wireless Fidelity、登録商標）、Bluetooth（登録商標）等の無線通信規格により、携帯端末３０ａ〜３０ｄとの間で無線通信を行う。また、無線通信部１３の携帯電話網無線通信部１３ｂは、３Ｇやセルラー等の携帯電話網により配信サーバ５０との間で無線通信を行う。
【００３２】
表示部１５は、液晶パネル等により構成され、ナビゲーション機能による地図表示、音楽再生部１７により再生されている音楽の曲名等の情報の表示等を行う。入力部１６は、ボタンスイッチ、タッチパネル等により構成されて、ユーザ（車両１の乗員）による指示操作を受け付ける。
【００３３】
音楽再生部１７は、配信サーバ５０から受信（ダウンロード）した音楽コンテンツ、記憶部１２に保持された音楽データ、記録媒体（メモリカード、ＣＤ等）に記録された音楽データ等を再生して、車両１に備えられたスピーカ（図示しない）から出力する。
【００３４】
ナビゲーション部１８は、ＧＰＳセンサ１１ａにより検出される車両１の現在位置と、記憶部１２に保持された地図情報とに基づいて、目的までのルート案内を表示部１５への表示と音声出力等によって行う。
【００３５】
車載器制御部２０は、図示しないＣＰＵ、メモリ、インターフェース回路等により構成された電子回路ユニットであり、メモリに保持された車載器１０の制御用プログラムをＣＰＵで実行することによって車載器１０の全体的な作動を制御し、携帯端末３０ａ〜３０ｄからユーザＰａ〜ＰｄのユーザＩＤ（本発明の視聴者の識別情報に相当する）を取得する識別情報取得部２１、及び配信サーバ５０から受信したコンテンツを再生する選択コンテンツ再生部２２として機能する。
【００３６】
車載器制御部２０には、センサ部１１の各センサ１１ａ，１１ｂ，１１ｃによる検出信号と、入力部１６により受け付けられた操作信号とが入力される。車載器制御部２０は、センサ部１１から入力される検出信号によって、車両１（自車両）の現在位置を認識して、表示部１５に表示されるナビゲーション画面の地図上に車両１の現在位置を示す。さらに、車載器制御部２０は、車両１の現在位置情報を、無線通信部１３を介して配信サーバ５０に送信する。また、車載器制御部２０から出力される制御信号によって、無線通信部１３、表示部１５、音楽再生部１７、及びナビゲーション部１８の作動が制御される。
【００３７】
次に、図３を参照して、携帯端末３０ａ〜３０ｄは、ＧＰＳセンサ３１ａ（本発明の位置検出機能を実現する）、ジャイロセンサ３１ｂ等を含むセンサ部３１と、各種データを保持する記憶部３２と、近接無線通信部３３ａ及び携帯電話網無線通信部３３ｂを含む無線通信部３３と、携帯端末３０の全体的な作動を制御する携帯制御部４０と、表示部３５と、入力部３６と、音楽再生部３７とを備えている。
【００３８】
記憶部３２は半導体メモリ等により構成されており、ＯＳや各種アプリのプログラム、配信サーバ５０等からダウンロードされたコンテンツ、センサ部３１による検出データ、携帯端末３０に割り当てられた固有の識別情報等の種々のデータが保持されている。
【００３９】
無線通信部３３の近接無線通信部３３ａは、Wi-Fi（Wireless Fidelity、登録商標）、Bluetooth（登録商標）等の無線通信規格により、車載器１０との間及び携帯端末３０間で無線通信を行う。また、無線通信部３３の携帯電話網無線通信部３３ｂは、３Ｇやセルラー等の携帯電話網により配信サーバ５０及び他の携帯端末との間で無線通信を行う。
【００４０】
表示部３５は、液晶パネル等により構成されて、アプリの選択画面や実行画面等を表示する。入力部３６は、ボタンスイッチ、タッチパネル等により構成されて、ユーザ（携帯端末３０の所持者）による指示操作を受付ける。
【００４１】
音楽再生部３７は、配信サーバ５０から受信（ダウンロード）した音楽のコンテンツ、記憶部３２に保持された音楽データ、携帯端末３０に装着されたメモリカードに保持された音楽データ等を再生して、スピーカ（図示しない）又はオーディオ端子（図示しない）から出力する。
【００４２】
携帯制御部４０は、図示しないＣＰＵ、メモリ、インターフェース回路等により構成された電子回路ユニットであり、メモリに保持された携帯端末３０の制御用プログラムをＣＰＵで実行することによって携帯端末３０の全体的な作動を制御する。
【００４３】
携帯制御部４０には、センサ部１１の各センサ３１ａ，３１ｂによる検出信号と、入力部３６により受け付けられた操作信号とが入力される。また、携帯制御部４０から出力される制御信号によって、無線通信部３３、表示部３５、及び音楽再生部３７の作動が制御される。
【００４４】
次に、図４を参照して、配信サーバ５０は、通信部５１と、記憶部５２と、サーバ制御部６０とを含んで構成されている。
【００４５】
通信部５１は、インターネット等の通信ネットワーク２を介して、車載器１０及び携帯端末３０等との間で通信を行う機能を有している。
【００４６】
記憶部５２は、種々のエリアに区画されており、コンテンツエリア７０には、車載器１０及び携帯端末３０等の通信端末に配信する情報が保持されている。具体的には、音楽コンテンツである音楽データ７１、観光情報や時事の話題等についてのディスクジョッキーのナレーションで構成されたナレーションデータ７２、写真、及び動画等の映像データ７３が保持されている。
【００４７】
また、ユーザ情報エリア８０には、携帯端末３０のユーザ（所持者）に固有に割り当てられたユーザＩＤ８２とそのユーザのユーザプロファイル８３とを関連付けて構成されたユーザ情報ブロック８１（８１ａ，８１ｂ，８１ｃ，…）が、ユーザごとに保持されている。
【００４８】
ユーザ情報ブロック８１は、ユーザ登録により入力された事項に基づいて作成され、ユーザＩＤ８２とユーザプロファイル８３とが関連付けられている。ユーザプロファイル８３には、ユーザの年齢、性別、生年月日、各種の嗜好情報等のユーザ個人に関わる種々の情報を含んでいる。また、ユーザプロファイル８３には、家族、友人、同僚等のユーザ間の関係を含めてもよい。
【００４９】
なお、ユーザがＳＮＳ（Social Networking Service）を利用している場合には、ＳＮＳのサイトと連携して、ユーザがＳＮＳサイトに登録した情報をユーザプロファイル８３として利用してもよい。
【００５０】
また、第１実施形態では、配信サーバ５０の記憶部５２にコンテンツエリア７０とユーザ情報エリア８０とを配置したが、ユーザ情報エリア８０を、配信サーバ５０とは別の管理サーバの記憶部に配置するようにしてもよい。
【００５１】
選択主体決定ロジック８５は、車両１に複数のユーザが乗車しているときに、いずれかのユーザを配信サーバ５０から配信されるパーソナライズド・ラジオ番組の選択主体として決定するための条件を保持している。以下に、選択主体決定ロジック８５の例を説明する。なお、ユーザプロファイルに含まれる情報のうち、選択主体決定ロジック８５で使用される情報は、本発明の視聴者の識別情報に相当する。
【００５２】
『選択主体決定ロジック』
（１）乗車しているユーザが２人である場合。
・乗車しているユーザが親子であるときは、子供を優先して選択主体に決定する。
・乗車しているユーザが車両１の所有者とその恋人又は配偶者であるときは、恋人又は配偶者を優先して選択主体に決定する。
・乗車しているユーザが車両１の所有者とその友人であるときは、車両１の所有者を優先して選択主体に決定する。
・ユーザが車両１の所有者と所有者の親であるときは、所有者を優先して選択主体に決定する。
【００５３】
まとめると以下の不等式で表される。
【００５４】
子供、恋人、配偶者 ＞ 車の所有者＞ 友人、親。
【００５５】
（２）乗車しているユーザが３人以上である場合
・子供を最優先として、選択主体に決定する。
・子供以外は、プライベート度（個人的な付き合いの度合）が高いほど、優先度を低くする。例えば、友人と家族では、家族の方がプライベート度が高いため、以下のように友人を優先する。
【００５６】
まとめると以下の不等式で表される。
【００５７】
子供 ＞ 友人 ＞ 家族。
【００５８】
なお、家族は配偶者や親等、所有者の家族が複数同乗しているときに選択可能となる。その結果、家族を一人の主体とみなして家族向けのコンテンツの再生が可能となる。さらに、友人に関しても友人が複数名乗車している場合でも、一人の主体とみなして友人向けのコンテンツの再生を可能とする。
【００５９】
（３）優先順位の修正
選択主体決定ロジック８５により決定された選択主体に基づいて決定したコンテンツが再生されているときに、いずれかのユーザによってコンテンツを変更する操作がなされたときには、優先度（重み付け）の設定を修正する処理が行われる。この場合、コンテンツの再生が開始されてから、コンテンツの変更操作が行われるまでの経過時間が短いほど、変更操作を行ったユーザの優先度を高くして（重み付けを大きくして）、選択主体決定ロジック８５を修正する。
【００６０】
次に、図５及び図６に示したフローチャートに従って、車両１に複数のユーザ（図１の例ではＰａ〜Ｐｄの４名）が乗車している場合に、一人のコンテンツ（パーソナライズド・ラジオ番組）の選択主体を決定して、選択主体の嗜好に合ったコンテンツを再生する処理について説明する。
【００６１】
図５は車載器１０の車載器制御部２０による処理のフローチャートであり、ＳＴＥＰ１〜ＳＴＥＰ４は、識別情報取得部２１による処理（本発明のコンテンツ配信方法における識別情報取得ステップに相当する）である。識別情報取得部２１は、ＳＴＥＰ１で、ビーコン信号を出力して、周辺（本実施形態では車両１の車室内を想定）に存在する携帯端末３０からの応答を受信することにより、携帯端末３０を探索する。そして、携帯端末３０を検出したときにＳＴＥＰ２に進み、検出した携帯端末３０との間でペアリングを行う。
【００６２】
次のＳＴＥＰ３で、車載器１０は未だペアリングを行っていない携帯端末３０を探索し、携帯端末３０を検出したときには、ＳＴＥＰ２に分岐してペアリングを行う。ＳＴＥＰ３で携帯端末３０が検出されなくなったとき（車両１の全ての乗員の携帯端末３０とのペアリングが完了したとき）に、ＳＴＥＰ４に進み、車載器１０は、ペアリングした各携帯端末３０に割り当てられたユーザＩＤを、配信サーバ５０に送信する。
【００６３】
ユーザＩＤは、配信サーバ５０からパーソナライズド・ラジオ番組の配信サービスを受けるためのラジオアプリを起動して、ユーザ登録を行うときに入力された固有のユーザ名、或いは携帯端末３０に固有に割り当てられたＭＡＣ（Media Access Control）アドレス等が用いられる。
【００６４】
ＳＴＥＰ４の処理により、携帯端末３０を所持するユーザの固有ＩＤを配信サーバ５０に送信することによって、後述するように、配信サーバ５０において選択主体を決定する処理が行われて、選択主体の嗜好に合ったコンテンツが、車載器１０に対して送信される。
【００６５】
続くＳＴＥＰ５〜ＳＴＥＰ６は、選択コンテンツ再生部２２による処理である。選択コンテンツ再生部２２は、ＳＴＥＰ５で、配信サーバ５０からコンテンツを受信したときにＳＴＥＰ６に進み、受信したコンテンツ（パーソナライズド・ラジオの番組コンテンツ）を音楽再生部１７により再生する。
【００６６】
続くＳＴＥＰ７で、いずれかのユーザにより再生中のコンテンツを変更する携帯端末の操作があったときには、ＳＴＥＰ１０に分岐し、変更操作がなされた携帯端末の所持者のユーザＩＤを配信サーバ５０に送信して、ＳＴＥＰ５に戻る。一方、再生中のコンテンツを変更する操作がなかったときには、ＳＴＥＰ６に戻る。
【００６７】
ＳＴＥＰ１０の処理により、上述したように、配信サーバ５０において選択主体決定ロジックを修正する処理が行われる。
【００６８】
また、図６は配信サーバ５０のサーバ制御部６０のフローチャートである。ＳＴＥＰ２０は識別情報受信部６１による処理であり、識別情報受信部６１は、車載器１０から送信されたユーザＩＤを受信する。
【００６９】
続くＳＴＥＰ２１〜ＳＴＥＰ２３及びＳＴＥＰ３０は、選択主体決定部６２による処理（本発明のコンテンツ配信方法における選択主体決定ステップに相当する）である。ＳＴＥＰ２１で、選択主体決定部６２は、図４を参照して、ユーザＩＤ８２毎に、ユーザＩＤ８２と関連付けられたユーザプロファイル８３を読み出す。
【００７０】
続くＳＴＥＰ２２で、選択主体決定部６２は、ユーザＩＤを複数受信したか否かを判断する。そして、ユーザＩＤを複数受信しなかったとき（ユーザＩＤを１つしか受信しなかったとき）はＳＴＥＰ２３に進み、選択主体決定部６２は、受信したユーザＩＤ８２が割り当てられたユーザを、コンテンツの選択主体として決定する。
【００７１】
一方、ユーザＩＤを複数受信したときにはＳＴＥＰ２２からＳＴＥＰ３０に分岐し、選択主体決定部６２は、受信した複数のユーザＩＤ８２にそれぞれ対応するユーザプロファイル８３を、選択主体決定ロジック８５により規定された条件に当てはめてコンテンツの選択主体を決定し、ＳＴＥＰ２４に進む。
【００７２】
ＳＴＥＰ２４は再生コンテンツ選択部６３による処理（本発明のコンテンツ配信方法における再生コンテンツ選択ステップに相当する）である。再生コンテンツ選択部６３は、選択主体として選択されたユーザのユーザプロファイル８３を参照してユーザの嗜好を認識し、ユーザの嗜好に合致したコンテンツ（パーソナライズド・ラジオ番組）を選択する。例えば、選択主体が男児であるときは、再生コンテンツ選択部６３は、男児向けのアニメ主題歌等により構成されたパーソナライズド・ラジオ番組のコンテンツを選択する。
【００７３】
続くＳＴＥＰ２５は、コンテンツ送信部６４による処理である。コンテンツ送信部６４は、再生コンテンツ選択部６３により選択されたコンテンツのデータをコンテンツエリア７０から読み出して車載器１０に対して送信する。
【００７４】
［第２実施形態］
次に、図７〜図９を参照して、本発明の第２実施形態について説明する。
【００７５】
図７を参照して、第２実施形態のコンテンツ配信システムは、車両１の乗員Ｐａ〜Ｐｄが所持する携帯端末３０ａ〜３０ｄと、配信サーバ５０とにより構成されている。携帯端末３０ａは本発明のコンテンツ再生装置及び第１携帯端末に相当し、他の携帯端末３０ｂ，３０ｃ，３０ｄは本発明の第２携帯端末に相当する。
【００７６】
携帯端末３０ａ〜３０ｄ及び配信サーバ５０の構成、及びユーザＰａ〜Ｐｄの配信サーバ５０への登録処理は、第１実施形態と同様であるため、ここでは説明を省略する。
【００７７】
携帯端末３０ａは音楽コンテンツのデータを車載オーディオ機器９０に転送して、図示しないスピーカから音を出力する。
【００７８】
次に、図８及び図９に示したフローチャートに従って、車両１に複数のユーザ（図７の例ではＰａ〜Ｐｄの４名）が乗車している場合に、一人のコンテンツの選択主体を決定して、選択主体の嗜好に合ったコンテンツを再生する処理について説明する。
【００７９】
図８は第１携帯端末３０ａの携帯制御部４０による処理のフローチャートであり、携帯制御部４０は、ＳＴＥＰ５０でラジオアプリを起動したときにＳＴＥＰ５１に進み、自機周辺の携帯端末の有無を問い合わせるデータを配信サーバ５０に送信する。そして、このデータの送信に応じて、後述する配信サーバ５０での処理によりコンテンツの選択主体が決定されて、選択主体の嗜好に応じたコンテンツ（パーソナライズド・ラジオ番組）が配信サーバ５０から第１携帯端末３０ａに対して送信される。
【００８０】
携帯制御部４０は、次のＳＴＥＰ５２で配信サーバ５０からコンテンツを受信したときにＳＴＥＰ５３に進み、受信したコンテンツを音楽再生部３７によって再生する。続くＳＴＥＰ５４で、携帯制御部４０は、いずれかの携帯端末３０によって、再生中の音楽を変更する操作がなされたか否かを判断する。
【００８１】
そして、再生中の音楽を変更する操作がなされたときはＳＴＥＰ６０に分岐し、携帯制御部４０は、変更操作がなされた携帯端末３０の所持者のユーザＩＤを配信サーバ５０に送信してＳＴＥＰ５２に戻る。この場合は、上述した第１実施形態の場合と同様に、配信サーバ５０において、選択主体決定ロジック８５について、生成中のコンテンツを変更する操作を行ったユーザの優先度を高くする処理が行われる。
【００８２】
また、図９は配信サーバ５０におけるサーバ制御部６０のフローチャートである。サーバ制御部６０は、ＳＴＥＰ７０で、第１携帯端末３０ａから他の携帯端末（図７の例では３０ｂ，３０ｃ，３０ｄ）の有無の問い合わせがあったか否かを判断する。そして、問い合わせがあったときはＳＴＥＰ７１進む。
【００８３】
次のＳＴＥＰ７１は、識別情報受信部６１による処理である。識別情報受信部６１は、各携帯端末３０から送信されるユーザＩＤと位置情報を受信して、第１携帯端末の付近に存在する他の携帯端末（第２携帯端末）３０を探知する（同乗者探知）。
【００８４】
続くＳＴＥＰ７２〜ＳＴＥＰ７４及びＳＴＥＰ８０は選択主体決定部６２による処理である。選択主体決定部６２は、図４を参照して、ＳＴＥＰ７２で、識別情報受信部６１により検出された第２携帯端末３０ｂ〜３０ｄ及び第１携帯端末３０ａのユーザＩＤ８２に対応するユーザプロファイル８３を、ユーザ情報エリア８０から取得する。そして、次のＳＴＥＰ７３で、選択主体決定部６２は、ＳＴＥＰ７１の処理結果に基づいて第１携帯端末３０ａの付近に他の携帯端末があるか否かを判断する。
【００８５】
第１携帯端末３０ａの付近に他の携帯端末３０があるときはＳＴＥＰ８０に分岐し、選択主体決定部６２は、第１携帯端末３０ａ及び第２携帯端末３０ｂ〜３０ｄを所持するユーザのユーザプロファイル８３を、選択主体決定ロジック８５に適用して一人の選択主体を決定し、ＳＴＥＰ７５に進む。
【００８６】
一方、第１携帯端末３０ａの付近に他の携帯端末３０がないときにはＳＴＥＰ７４に進み、選択主体決定部６２は、第１携帯端末３０ａのユーザを選択主体として決定し、ＳＴＥＰ７５に進む。
【００８７】
ＳＴＥＰ７５は、再生コンテンツ選択部６３による処理である。再生コンテンツ選択部６３は、選択主体として決定されたユーザの嗜好（ユーザプロファイル８３から認識される）に合致したコンテンツを選択する。
【００８８】
続くＳＴＥＰ７６は、コンテンツ送信部６４による処理である。コンテンツ送信部６４は、再生コンテンツ選択部６３により選択されたコンテンツ（パーソナライズド・ラジオ番組のコンテンツ）を第１携帯端末３０ａに送信する。これにより、第１携帯端末３０ａにおいて、上述した図８のＳＴＥＰ５３の処理が実行されて、パーソナライズド・ラジオ番組が再生される。
【００８９】
［変形形態１］
上記第１実施形態及び第２実施形態では、図４に示したように選択主体決定部６２を配信サーバ５０に備えたが、選択主体決定部６２を車載器１０又は第１携帯端末３０ａに備えるようにしてもよい。
【００９０】
選択主体決定部６２を車載器１０に備える構成とした場合は、図２を参照して、識別情報取得部２１により、付近に存在する携帯端末３０からユーザＩＤとユーザプロファイルを受信して、各ユーザのユーザプロファイルを認識することにより、コンテンツの選択主体を決定する。そして、車載器１０から配信サーバ５０に対して、選択主体として決定したユーザのユーザＩＤを送信する。これにより、配信サーバ５０において、再生コンテンツ選択部６３によって、選択主体として選択されたユーザの嗜好に合致したコンテンツが選択される。なお、車載器１０から選択主体として決定したユーザのユーザＩＤを配信サーバ５０に送信する構成は、本発明の選択主体情報送信部に相当する。
【００９１】
また、選択主体決定部６２を第１携帯端末３０ａに備える構成とした場合は、図３に破線で示したように、識別情報取得部２１を第１携帯端末３０ａに備えることにより、車載器１０に選択主体決定部６２を備えた場合と同様に、コンテンツの選択主体を決定することができる。
【００９２】
［変形形態２］
上記第１実施形態及び第２実施形態では、配信サーバ５０に備えた再生コンテンツ選択部６３により、選択主体のプロファイルに合致したコンテンツを選択するようにしたが、ユーザ情報エリア８０と再生コンテンツ選択部６３を、車載器１０の記憶部１２又は第１携帯端末３０ａに備える構成としてもよい。
【００９３】
この構成とした場合は、車載器１０又は第１携帯端末３０ａに備えられた再生コンテンツ選択部６３が、ユーザ情報エリア８０（配信サーバ５０に備えてもよく、車載器１０又は第１携帯端末３０ａに備えてもよい）にアクセスして、選択主体のユーザのプロファイルを取得し、選択主体のユーザプロファイルから認識される嗜好に合致したコンテンツを選択する。
【００９４】
［変形形態３］
上記第１実施形態及び第２実施形態において、識別情報取得部２１は、各携帯端末３０のユーザＩＤに基づいてコンテンツの視聴者を識別したが、車両１の車室に設けたカメラにより視聴者の顔を撮像して、視聴者の顔の画像の特徴量を解析することによって、視聴者の顔の特徴量をユーザＩＤとし、顔の特徴量から視聴者のプロファイル（性別、年齢等）を推定する構成としてもよい。
【００９５】
［変形形態４］
上記第１実施形態及び第２実施形態では、配信サーバ５０から音楽コンテンツ（パーソバライズド・ラジオ番組等）を配信する例を示したが、配信サーバ５０から配信するコンテンツは、画像、映像等であってもよい。
【符号の説明】
【００９６】
１…車両（乗用車）、１０…車載器、２０…車載器制御部、２１…識別情報取得部、３０（３０ａ〜３０ｄ）…携帯端末、４０…携帯制御部、５０…配信サーバ、５２…（配信サーバの）記憶部、６０…サーバ制御部、６１…識別情報受信部、６２…選択主体決定部、６３…再生コンテンツ選択部、６４…コンテンツ送信部、７０…コンテンツエリア、８０…ユーザ情報エリア、８１（８１ａ，８１ｂ，…）…ユーザ情報ブロック、８２…ユーザＩＤ、８３…ユーザプロファイル、８５…選択主体決定ロジック。
【図１】
0006523913.tif 000002
【図２】
0006523913.tif 000003
【図３】
0006523913.tif 000004
【図４】
0006523913.tif 000005
【図５】
0006523913.tif 000006
【図６】
0006523913.tif 000007
【図７】
0006523913.tif 000008
【図８】
0006523913.tif 000009
【図９】
0006523913.tif 000010